(57)【要約】  ユーザの健康状態に基づいて、出力された働きかけを評価することが可能な評価装置などを実現する。評価装置（３０）は、生体の情報である第１生体情報に基づいて、生体に対する働きかけの内容を決定する決定部（３１２）と、働きかけが生体に対して開始された後に取得された、生体の情報である第２生体情報、および第１生体情報に基づいて、働きかけの評価を行う評価部（３１４）と、を備える。
2019093242.tif 000002
【特許請求の範囲】
【請求項１】
生体から取得された当該生体の情報である第１生体情報に基づいて、前記生体に対する働きかけの内容を決定する決定部と、
前記決定部が決定した内容の働きかけが前記生体に対して開始された後に取得された、前記生体の情報である第２生体情報と、前記第１生体情報とに基づいて、前記決定部が決定した働きかけの評価を行う評価部と、を備える評価装置。
【請求項２】
前記決定部は、前記第１生体情報に加え、前記評価部による過去の評価に基づいて前記働きかけの内容を決定することを特徴とする請求項１に記載の評価装置。
【請求項３】
前記評価部は、前記第２生体情報が、前記第１生体情報に比べて、より良好な健康状態を示す場合に、前記働きかけの評価を上げることを特徴とする請求項１または２に記載の評価装置。
【請求項４】
前記評価部は、前記第１生体情報が、前記第２生体情報に比べて、より良好な健康状態を示す場合に、前記働きかけの評価を下げることを特徴とする請求項１から３のいずれか１項に記載の評価装置。
【請求項５】
前記評価部は、前記第１生体情報の取得の開始から前記第２生体情報の取得の開始までの時間を示す時間情報に基づいて取得された、前記第１生体情報と前記第２生体情報とに基づいて、前記働きかけの評価を行うことを特徴とする請求項１から４のいずれか１項に記載の評価装置。
【請求項６】
前記評価部による評価の結果を表示する表示部をさらに備えることを特徴とする請求項１から５のいずれか１項に記載の評価装置。
【請求項７】
前記働きかけは、前記生体に対する聴覚的な働きかけ、および／または視覚的な働きかけであることを特徴とする請求項１から６のいずれか１項に記載の評価装置。
【請求項８】
請求項１から７のいずれか１項に記載の評価装置と、
前記第１生体情報および前記第２生体情報を取得するための生体情報取得装置と、
前記評価装置が備える前記決定部が決定した内容の働きかけを前記生体に対して出力する出力装置とを備えることを特徴とする出力システム。
【請求項９】
生体から取得された当該生体の情報である第１生体情報に基づいて、前記生体に対する働きかけの内容を決定する決定ステップと、
前記決定ステップにおいて決定された内容の働きかけが前記生体に対して開始された後に取得された、前記生体の情報である第２生体情報と、前記第１生体情報とに基づいて、前記決定において決定された働きかけの評価を行う評価ステップと、を含む評価方法。
【請求項１０】
請求項１に記載の評価装置としてコンピュータを機能させるためのプログラムであって、前記決定部および前記評価部としてコンピュータを機能させるためのプログラム。
【請求項１１】
請求項１０に記載のプログラムを記録したコンピュータ読み取り可能な記録媒体。
【発明の詳細な説明】
【技術分野】
【０００１】
本開示は、ユーザに対する働きかけについて評価する評価装置および当該働きかけをユーザに対して出力する出力システム、ならびに上記働きかけについて評価する評価方法、プログラムおよび記録媒体に関する。
【背景技術】
【０００２】
特許文献１には、選択された音響を妊婦に鑑賞させるとともに、胎児が腕を振る回数を予め定められた基準値と比較して、選択された音響が胎児に良好か否かを判定する評価装置が開示されている。【０００３】
また、特許文献２には、選択部によって選択されたふるまい定義情報に対応するふるまいを出力するインタラクション装置が開示されている。
【先行技術文献】
【特許文献】
【０００４】
【特許文献１】日本国公開特許公報「特開２００８−８６６６９号公報（２００８年４月１７日公開）」
【特許文献２】日本国公開特許公報「特開２０１３−２０８６８１号公報（２０１３年１０月１０日公開）」
【発明の概要】
【発明が解決しようとする課題】
【０００５】
しかしながら、特許文献１に開示されている評価装置は、胎児の好みに基づいて音響の良否を評価するものであり、胎児の健康状態に基づいて当該音響を評価しているわけではない。また、特許文献２に開示されているインタラクション装置は、ユーザの健康状態に基づいて、出力されたふるまいを評価するものではない。【０００６】
本開示の一態様は、ユーザの健康状態に基づいて、出力された働きかけを評価することが可能な評価装置などを実現することを目的とする。
【課題を解決するための手段】
【０００７】
上記の課題を解決するために、本開示の一態様に係る評価装置は、生体から取得された当該生体の情報である第１生体情報に基づいて、前記生体に対する働きかけの内容を決定する決定部と、前記決定部が決定した内容の働きかけが前記生体に対して開始された後に取得された、前記生体の情報である第２生体情報と、前記第１生体情報とに基づいて、前記決定部が決定した働きかけの評価を行う評価部と、を備える。【０００８】
また、本開示の一態様に係る評価方法は、生体から取得された当該生体の情報である第１生体情報に基づいて、前記生体に対する働きかけの内容を決定する決定ステップと、前記決定ステップにおいて決定された内容の働きかけが前記生体に対して開始された後に取得された、前記生体の情報である第２生体情報と、前記第１生体情報とに基づいて、前記決定部が決定した働きかけの評価を行う評価ステップと、を含む。
【発明の効果】
【０００９】
本開示の一態様に係る評価装置および評価方法によれば、ユーザの健康状態に基づいて、出力された働きかけを評価することが可能な評価装置などを実現することができる。
【図面の簡単な説明】
【００１０】
【図１】実施形態１に係る出力システムの構成を示すブロック図である。
【図２】記憶部が記憶している働きかけ関連情報の例を示す表である。
【図３】実施形態１に係る評価装置における処理の一例を示すフローチャートである。
【図４】実施形態１に係る評価装置における処理の一例のタイムチャートである。
【図５】実施形態１に係る評価装置における処理の別の例のタイムチャートである。
【図６】実施形態２に係る出力システムの構成を示すブロック図である。
【図７】実施形態３に係る出力システムの構成を示すブロック図である。
【発明を実施するための形態】
【００１１】
〔実施形態１〕
以下、本開示の一実施形態について、詳細に説明する。
【００１２】
図１は、本実施形態に係る出力システム１の構成を示すブロック図である。図１に示すように、出力システム１は、生体情報取得装置１０と、出力装置２０と、評価装置３０とを備える。
【００１３】
生体情報取得装置１０は、ユーザ（生体）から生体情報を取得する。ここでいう生体情報とは、ユーザの健康状態を示す情報である。生体情報の具体例としては、血圧、心拍数、脈拍数、呼吸数またはストレス指標（ＬＦ／ＨＦ、Low Frequency/High Frequency）などの値が挙げられる。生体情報取得装置１０は、接触型のセンサであってもよいし、カメラなどの非接触型のセンサでもよい。具体的には、例えば生体情報が血圧であれば、生体情報取得装置１０は血圧計であってよい。血圧計はカメラによる非接触型であってよい。また、生体情報が心拍数であれば、生体情報取得装置１０は心拍計であってよい。心拍計はカメラによる非接触型であってよい。また、心拍数が測定できるのであれば、生体情報取得装置１０は心電計であってもよい。また、生体情報が脈拍数であれば、生体情報取得装置１０は脈拍計であってよい。脈拍計はカメラによる非接触型であってよい。また、生体情報が呼吸数であれば、生体情報取得装置１０はカメラであってもよいし、接触型の呼吸数センサであってもよい。また、生体情報がストレス指標であれば、生体情報取得装置１０は接触型のストレスセンサであってもよいし、カメラによる非接触型のストレスセンサであってもよい。また、生体情報取得装置１０はカメラおよび血圧計を組み合わせたものであってよい。
【００１４】
出力装置２０は、生体情報取得装置１０が取得した生体情報に基づいて、ユーザに対して働きかけを出力する装置である。本実施形態では、出力装置２０が出力する働きかけは、ユーザに対する聴覚的な働きかけ、および／または視覚的な働きかけである。
【００１５】
「聴覚的な働きかけ」とは、音楽、または対話の発話などである。また、「視覚的な働きかけ」とは、映像、または装置の動きである。「装置の動き」とは、具体的には、ＬＥＤの点滅、または装置の振動などである。また、出力装置２０が人型のロボットである場合には、「装置の動き」とは、頭、手、または足などの部位を動かすなどの動作である。
【００１６】
例えば生体情報が血圧であり、かつ健康な生体における基準値と比較して高い値である場合、出力装置２０による働きかけの例としては、血圧を下げるためのアドバイス、または高血圧対策となる料理のレシピの提案が挙げられる。また、生体情報が心拍数、呼吸数またはストレス指標であり、かつストレスを感じていることを示す値である場合、出力装置２０による働きかけの例としては、ストレスを緩和するための音楽または映像を出力することが挙げられる。
【００１７】
また、出力装置２０が人型のロボットである場合において、生体情報がストレス指標であり、かつストレスを感じていることを示す値である場合、出力装置２０による働きかけの例としては、ユーザをリラックスさせるような、当該ロボットの頭、手、または足などのしぐさが挙げられる。
【００１８】
評価装置３０は、働きかけについての評価を行う。評価装置３０は、制御部３１と、記憶部３２とを備える。制御部３１は、評価装置３０の動作を制御する。制御部３１は、第１生体情報取得部３１１と、決定部３１２と、第２生体情報取得部３１３と、評価部３１４とを備える。
【００１９】
第１生体情報取得部３１１は、生体情報取得装置１０によりユーザの生体情報（第１生体情報）を取得する。また、第１生体情報取得部３１１は、取得した第１生体情報を決定部３１２および評価部３１４へ出力する。
【００２０】
決定部３１２は、第１生体情報に基づいて、ユーザに対する働きかけの内容を決定する。また、決定部３１２は、決定した働きかけの情報を、出力装置２０へ出力する。出力装置２０は、決定部３１２から入力された情報に基づいて、ユーザに対して働きかけを出力する。
【００２１】
第２生体情報取得部３１３は、決定部３１２が決定した内容の働きかけがユーザに対して開始された後のユーザの生体情報（第２生体情報）を取得する。また、第２生体情報取得部３１３は、取得した第１生体情報を評価部３１４へ送信する。
【００２２】
評価部３１４は、第２生体情報と、第１生体情報とに基づいて、決定部３１２が決定した働きかけの評価を行う。具体的には、評価部３１４は、第２生体情報が、第１生体情報に比べて、より良好な健康状態を示す場合に、決定部３１２が決定した内容の働きかけの評価を上げる。また、評価部３１４は、第１生体情報が、第２生体情報に比べて、より良好な健康状態を示す場合に、決定部３１２が決定した内容の働きかけの評価を下げる。
【００２３】
記憶部３２は、制御部３１による制御に必要な情報を記憶する。具体的には、記憶部３２は、（ｉ）生体情報取得装置１０が取得する生体情報と、（ｉｉ）決定部３１２が決定する働きかけを示す働きかけ候補と、（ｉｉｉ）第１生体情報取得部３１１による第１生体情報の取得の開始から第２生体情報取得部３１３による第２生体情報の取得の開始までの時間を示す時間情報と、（ｉｖ）働きかけの評価を示す評価情報と、が対応付けられた、働きかけ関連情報を記憶する。また、上記（ｉｉｉ）の時間情報は、出力装置２０による働きかけの出力の開始から第２生体情報取得部３１３による第２生体情報の取得の開始までの時間を示すものであってもよい。記憶部３２は、例えばフラッシュメモリ、ＳＳＤ（Solid State Drive）、または他の記憶媒体であってよい。または、評価装置３０は、記憶部３２を備えず、外部の記憶装置と通信可能な通信部を有していてもよい。
【００２４】
図２は、記憶部３２が記憶している働きかけ関連情報の例を示す表である。図２に示す例では、生体情報Ｓｔ１に、働きかけＡ１１、時間情報Ｔｓｔ１、および評価情報Ｅ１１が対応付けられている。したがって、生体情報取得装置１０が取得する生体情報が生体情報Ｓｔ１である場合、決定部３１２は、働きかけをＡ１１に決定する。
【００２５】
また、図２に示す例では、生体情報Ｓｔ２には、（ｉ）働きかけＡ２１、時間情報Ｔｓｔ２、および評価情報Ｅ２１、ならびに、（ｉｉ）働きかけＡ２２、時間情報Ｔｓｔ２、および評価情報Ｅ２２、の２種類が対応付けられている。この場合において、生体情報取得装置１０が取得する生体情報が生体情報Ｓｔ２である場合、決定部３１２は、働きかけをＡ１１またはＡ１２のいずれか一方、または両方に決定する。
【００２６】
なお、図２に示す例では、働きかけＡ１１の評価情報Ｅ１１が５０、働きかけＡ２１の評価情報Ｅ２１が７０、働きかけＡ２２の評価情報Ｅ２２が４０となっている。しかし、これらの値はある時点における値であり、評価部３１４による評価に応じて評価情報は変動する。
【００２７】
また、生体情報が生体情報Ｓｔ２である場合、決定部３１２は、評価部３１４による評価に応じて変動した評価情報も参照して働きかけの内容を決定する。すなわち、決定部３１２は、第１生体情報に加え、評価部３１４による過去の評価に基づいて働きかけの内容を決定する。
【００２８】
図３は、評価装置３０における処理の一例を示すフローチャートである。評価装置３０における処理では、まず第１生体情報取得部３１１が、ユーザの生体の情報（第１生体情報）を取得する（Ｓ１）。
【００２９】
次に、決定部３１２が、生体情報に基づいて、ユーザに対する働きかけの内容を決定する（Ｓ２、決定ステップ）。例えば生体情報が図２に示すＳｔ１である場合、決定部３１２は、出力装置２０により出力する働きかけを働きかけＡ１１に決定する。
【００３０】
一方、例えば生体情報が図２に示すＳｔ２である場合、決定部３１２は、出力装置２０により出力する働きかけを働きかけＡ２１またはＡ２２のいずれかに決定する。具体的には、例えば決定部３１２は、働きかけＡ２１またはＡ２２のうち、評価情報が高い働きかけを出力装置２０により出力する働きかけとして決定してよい。図２に示す例では、働きかけＡ２１の評価情報Ｅ２１は７０であり、働きかけＡ２２の評価情報Ｅ２２は４０であるため、決定部３１２は、働きかけＡ２１を出力装置２０により出力する働きかけとして決定する。なお、この場合において、仮に評価情報Ｅ２１およびＥ２２が等しい値であれば、決定部３１２は、働きかけＡ２１またはＡ２２のいずれかをランダムに決定してもよい。
【００３１】
なお、ステップＳ１で取得した生体情報が図２に示す生体情報Ｓｔ１および生体情報Ｓｔ２のいずれにも該当しない場合には、決定部３１２は、働きかけを出力しないことを決定する。
【００３２】
ステップＳ１から所定の時間が経過した後、第２生体情報取得部３１３が、ユーザの生体情報（第２生体情報）を取得する（Ｓ３）。評価部３１４は、第２生体情報、および第１生体情報に基づいて、決定部３１２が決定した働きかけの評価を行う（Ｓ４、評価ステップ）。具体的には、評価部３１４は、第２生体情報が示す健康状態が、第１生体情報が示す健康状態よりも良好であるか否か判定する。
【００３３】
第２生体情報が示す健康状態が、第１生体情報が示す健康状態よりも良好である場合（Ｓ４でＹＥＳ）、評価部３１４は、ステップＳ２において決定された働きかけの評価を上げる（Ｓ５）。一方、第２生体情報が示す健康状態が、第１生体情報が示す健康状態よりも良好でない場合（Ｓ４でＮＯ）、評価部３１４は、ステップＳ２において決定された働きかけの評価を下げる（Ｓ６）。
【００３４】
なお、ここでいう「第２生体情報が示す健康状態が、第１生体情報が示す健康状態よりも良好でない場合」は、第２生体情報が示す健康状態が、第１生体情報が示す健康状態と同じである場合を含む。ただし、第２生体情報が示す健康状態が、第１生体情報が示す健康状態と同じである場合、評価部３１４は必ずしもステップＳ２において決定された働きかけの評価情報の値を下げる必要はなく、例えば元の評価情報の値を維持してもよい。
【００３５】
以上の処理により、評価装置３０による、働きかけの評価が終了する。次回に評価装置３０による処理が実行される場合には、決定部３１２は、今回の処理で更新された評価情報に基づいて働きかけを決定する。
【００３６】
評価装置３０による処理の第１の具体例を以下に説明する。第１の具体例においては、生体情報取得装置１０が取得する生体情報を血圧とし、図２に示す働きかけ関連情報における生体情報Ｓｔ１を血圧の所定の値とし、時間情報Ｔｓｔ１を１時間とする。また、第１生体情報としての血圧が生体情報Ｓｔ１として規定された値であったものとする。この場合、決定部３１２は、働きかけの内容を働きかけＡ１１に決定し、出力装置２０が働きかけＡ１１を出力する。そして、第２生体情報取得部３１３は、第１生体情報取得部３１１が第１生体情報を取得してから１時間後に、第２生体情報を取得する。
【００３７】
この場合において、第２生体情報が第１生体情報と比較して低い血圧であった場合、決定部３１２が決定した働きかけＡ１１によりユーザの健康状態を改善できたことになる。したがって、評価部３１４は、働きかけＡ１１の評価情報Ｅ１１の値を上げる。例えば図２に示すように、評価情報Ｅ１１が０以上１００以下の範囲で与えられ、元の値が５０であった場合、評価部３１４は、評価情報Ｅ１１の値を例えば５１に更新する。なお、逆に第２生体情報が第１生体情報以上の血圧であった場合には、評価部３１４は、働きかけＡ１１の評価情報Ｅ１１の値を下げる。
【００３８】
評価装置３０による処理の第２の具体例を以下に説明する。第２の具体例においても、生体情報取得装置１０が取得する生体情報を血圧とし、図２に示す働きかけ関連情報における生体情報Ｓｔ２を血圧の所定の値とする。また、第１生体情報としての血圧が生体情報Ｓｔ１として規定された値であったものとする。この場合、決定部３１２が決定する働きかけの候補として、働きかけＡ２１およびＡ２２が挙げられる。
【００３９】
ここで、決定部３１２は、働きかけＡ２１およびＡ２２の評価情報Ｅ２１およびＥ２２を参照する。図２に示す例では、評価情報Ｅ２１の値が７０であり、評価情報Ｅ２２の値が４０であるため、決定部３１２は、評価情報の値が大きい働きかけ、すなわち働きかけＡ２１をユーザに対して出力する働きかけとして決定し、出力装置２０が働きかけＡ２１を出力する。なお、仮に評価情報Ｅ２１とＥ２２との値が等しい場合には、決定部３１２は、働きかけＡ２１およびＡ２２のいずれかをランダムに選択する。そして、第２生体情報取得部３１３は、第１生体情報取得部３１１が第１生体情報を取得してから時間情報Ｔｓｔ２に規定された時間の後に、第２生体情報を取得する。時間情報Ｔｓｔ２は、例えば時間情報Ｔｓｔ１と同様に１時間でもよいし、例えば１０分、または１日でもよい。
【００４０】
この場合において、第２生体情報が第１生体情報と比較して低い血圧であった場合、決定部３１２が決定した働きかけＡ２１によりユーザの健康状態を改善できたことになる。したがって、評価部３１４は、働きかけＡ２１の評価情報Ｅ２１の値を上げる。図２に示す例では、評価情報Ｅ２１の元の値が７０であるため、評価部３１４は、評価情報Ｅ２１の値を例えば７１に更新する。逆に第２生体情報が第１生体情報以上の血圧であった場合には、評価部３１４は、働きかけＡ２１の評価情報Ｅ２１の値を下げる。図２に示す例では、評価情報Ｅ２１の元の値が７０であるため、評価部３１４は、評価情報Ｅ２１の値を例えば６９に更新する。いずれの場合においても、出力装置２０により出力される働きかけとして決定部３１２により決定されなかった働きかけＡ２２の評価情報Ｅ２２については更新されない。
【００４１】
なお、第２の具体例において、決定部３１２は、働きかけＡ２１およびＡ２２のうち、評価情報が高い働きかけを出力装置２０により出力する働きかけとして決定した。しかし、決定部３１２は、働きかけＡ２１およびＡ２２の評価情報に基づいて重み付けされた確率によって、出力装置２０により出力する働きかけを決定してもよい。図２に示す例を用いると、決定部３１２は、出力装置２０により出力する働きかけを、例えば働きかけＡ２１が選択される確率が７０／１１０、働きかけＡ２２が選択される確率が４０／１１０になるように、ランダムで決定してもよい。決定部３１２がこのように働きかけを決定する場合には、働きかけＡ２１の方が評価情報の値が高くても一定の確率で働きかけＡ２２が出力される。このため、出力装置２０により出力される働きかけが、ユーザに飽きられにくくなる。
【００４２】
また、評価情報の値の変化量について、評価部３１４は、いずれの具体例においても±１としているが、異なる変化（例えば±２以上）を与えてもよい。また、評価情報の値の変化量は一定の値に限定されず、例えば第１生体情報と第２生体情報との差分に応じて当該変化量を異ならせてもよい。
【００４３】
図４は、評価装置３０における処理の一例のタイムチャートである。図４において、ｔ１１〜ｔ１３は、それぞれ所定の時刻を示す。
【００４４】
時刻ｔ１１において、第１生体情報取得部３１１が第１生体情報を取得する処理を開始する。第１生体情報の取得が完了した後、時刻ｔ１２において、ユーザに対して出力する働きかけの内容を決定部３１２が決定し、出力装置２０が当該働きかけを出力する。その後、時刻ｔ１３において、第２生体情報取得部３１３が第２生体情報を取得する処理を開始する。時刻ｔ１１と時刻ｔ１３との間の時間が、図２に示した働きかけ関連情報のうち、時間情報に相当する。
【００４５】
なお、評価装置３０における処理のタイムチャートは、上記の例に限定されない。評価装置３０においては、少なくとも時刻ｔ１２が時刻ｔ１１よりも後であり、時刻ｔ１３が時刻ｔ１２よりも後であればよい。すなわち、評価装置３０においては、第１生体情報の取得が開始された後に働きかけの決定および出力が開始され、働きかけの決定および出力が開始された後に第２生体情報の取得が開始されればよい。
【００４６】
図５は、評価装置３０における処理の別の例のタイムチャートである。図５において、ｔ２１〜ｔ２４は、それぞれ所定の時刻を示す。図５に示す例では、出力装置２０は、２種類の働きかけをユーザに対して順に出力する。
【００４７】
時刻ｔ２１において、第１生体情報取得部３１１が第１生体情報を取得する処理が開始される。第１生体情報の取得が完了した後、時刻ｔ２２において、ユーザに対して出力する２種類の働きかけが決定部３１２により決定され、１種類目の働きかけが出力装置２０により出力される。１種類目の働きかけが終了した後、続けて時刻ｔ２３において、２種類目の働きかけがユーザに出力される。その後、時刻ｔ２４において、第２生体情報取得部３１３が第２生体情報を取得する処理が開始される。時刻ｔ２１と時刻ｔ２４との間の時間が、図２に示した働きかけ関連情報のうち、２種類の働きかけの時間情報の和に相当する。
【００４８】
なお、評価装置３０における処理のタイムチャートは、上記の例に限定されない。評価装置３０においては、少なくとも時刻ｔ２２およびｔ２３が時刻ｔ２１よりも後であり、時刻ｔ２４が時刻ｔ２２およびｔ２３よりも後であればよい。すなわち、評価装置３０においては、（ｉ）第１生体情報の取得が開始された後に働きかけの決定、１種類目の働きかけの出力、および２種類目の働きかけの出力が開始され、かつ（ｉｉ）１種類目の働きかけの出力および２種類目の働きかけの出力が開始された後に第２生体情報の取得が開始されればよい。
【００４９】
このように、本実施形態では、評価部３１４は、時間情報に基づいて取得された第１生体情報と第２生体情報とに基づいて、働きかけの評価を行う。すなわち、評価部３１４は、第１生体情報と、第１生体情報の取得の開始後、働きかけによる影響が現れると考えられる時間が経過してから取得された第２生体情報とに基づいて、働きかけの評価を行う。したがって、評価部３１４は、働きかけによる生体情報への影響に基づいて、当該働きかけを適切に評価することができる。
【００５０】
このような評価装置３０によれば、出力装置２０が出力した働きかけの内容について評価し、当該評価を次回以降に出力する働きかけを決定する場合に活用することができる。
【００５１】
なお、本実施形態の評価装置３０は、ユーザ、すなわち人体に対する働きかけについて評価を行った。しかし、本開示の一態様に係る評価装置は、人体以外の生体、例えば犬または猫といった動物に対する働きかけについて評価を行うものであってもよい。
【００５２】
また、出力システム１の使用態様によっては、生体情報取得装置１０が取得する生体情報が、記憶部３２に記憶されている働きかけ関連情報に含まれない生体情報である場合が考えられる。この場合、決定部３１２は、例えば既に記憶されている生体情報のうち、取得した生体情報に近いものに対応する働きかけを、ユーザに対して出力する働きかけ、またはその候補としてもよい。
【００５３】
例えば、生体情報Ｓｔ１およびＳｔ２が収縮期血圧（最高血圧）の値であり、それぞれが１３０ｍｍＨｇ、１４０ｍｍＨｇであるとする。一方、記憶部３２に記憶されている働きかけ関連情報に含まれない第１生体情報として、１３３ｍｍＨｇという血圧の値が取得されたものとする。この場合、決定部３１２は、既に記憶されている生体情報Ｓｔ１（１３０ｍｍＨｇ）とＳｔ２（１４０ｍｍＨｇ）のうち、取得した生体情報の１３３ｍｍＨｇに近いＳｔ１に対応する働きかけを、ユーザに対して出力する働きかけ、またはその候補としてもよい。
【００５４】
取得した生体情報が、記憶部３２に記憶されている生体情報に近いか否かの判定は、例えば以下のように行われてよい。すなわち、記憶部３２に記憶されている生体情報に対して所定の範囲を設け、取得した生体情報が当該範囲内に含まれている場合に、取得した生体情報が記憶部３２に記憶されている当該生体情報に近いと判定する。
【００５５】
またこの場合には、決定部３１２は、新たな働きかけ関連情報として、取得した生体情報、働きかけの内容、および評価情報を記憶部３２に記憶させてもよい。決定部３１２は、この場合における評価情報の値を、予め初期値として規定された値、例えば５０としてよい。
また、上記の例では、生体情報Ｓｔ１およびＳｔ２を所定の値とする場合について説明した。しかし、生体情報Ｓｔ１およびＳｔ２は、所定の値の範囲を示す情報であってもよい。例えば、生体情報Ｓｔ１およびＳｔ２として、所定の値の範囲を予め設定しておいてよい。この場合、生体情報Ｓｔ１に対応する値の範囲を示す情報に、働きかけＡ１１、時間情報Ｔｓｔ１、および評価情報Ｅ１１が対応付けられる。同様に、生体情報Ｓｔ２に対応する値の範囲を示す情報に、（ｉ）働きかけＡ２１、時間情報Ｔｓｔ２、および評価情報Ｅ２１、ならびに、（ｉｉ）働きかけＡ２２、時間情報Ｔｓｔ２、および評価情報Ｅ２２、の２種類が対応付けられる。決定部３１２は、取得した生体情報が当該範囲内に含まれているか否かを判定し、含まれている場合に、当該範囲に対応する働きかけをユーザに対する働きかけとして決定してもよい。
また、上記では、生体情報の具体例として、血圧、心拍数、脈拍数、呼吸数またはストレス指標（ＬＦ／ＨＦ、Low Frequency/High Frequency）などの値を挙げている。しかし、生体情報は、複数の指標を組み合わせてユーザの健康状態を示す情報であってもよい。例えば、血圧とストレス指標を組み合わせて、血圧が高く、さらに、ストレスを感じていることを示す値である場合に、それらを一つの生体情報として扱い、血圧が低く、さらに、ストレスを感じていることを示す値である場合と区別してもよい。また、例えば、収縮期血圧（最高血圧）と脈拍数とを乗算した値を生体情報として用いてもよい。
【００５６】
〔実施形態２〕
本開示の他の実施形態について、以下に説明する。なお、説明の便宜上、上記実施形態にて説明した部材と同じ機能を有する部材については、同じ符号を付記し、その説明を繰り返さない。
【００５７】
図６は、本実施形態に係る出力システム２の構成を示すブロック図である。図６に示すように、出力システム２は、評価装置３０の代わりに評価装置４０を備える点で出力システム１と相違する。評価装置４０は、評価装置３０が備える各構成要素に加えて、表示部４１をさらに備える。
【００５８】
表示部４１は、評価部３１４による評価の結果を表示する。表示部４１は、例えば液晶ディスプレイ、または有機ＥＬ（Electro Luminescence）素子を用いた表示装置であってよい。なお、表示部４１を評価装置４０の一部とせず、別の表示装置としてもよい。
【００５９】
出力システム２においては、出力装置２０により出力する新たな働きかけを評価装置４０に登録することができる。ここでいう「働きかけを登録する」とは、当該働きかけを出力するための出力装置２０の動作、および、当該働きかけについての図２に示すような働きかけ関連情報を記憶部３２に記憶させることを指す。
【００６０】
登録される働きかけは、例えば評価装置４０に登録されていない働きかけについて、当該働きかけの前の第１生体情報および当該働きかけの後の第２生体情報に基づいて出力システム２の管理者が評価したものであってよい。管理者は、上記働きかけについての評価が良好であると判断した場合に、当該働きかけを評価装置４０に登録する。
【００６１】
ここで、出力システム２においては、評価装置４０に既に登録されている働きかけの内容について、評価部３１４による評価の結果を表示部４１により表示することができる。したがって、管理者は、既に登録されている働きかけの評価結果と、新たな働きかけの評価結果とを比較した上で、当該新たな働きかけの評価が良好であるか否かを判断することができる。
【００６２】
また、出力システム２においては、評価装置４０による評価方法などを変更可能であってもよい。この場合にも、ある時点における評価方法を表示部４１により表示することで、管理者が当該評価方法を認識し、適宜変更することができる。
【００６３】
〔実施形態３〕
本開示の他の実施形態について、以下に説明する。本実施形態では、働きかけについての評価を自身では行わない端末装置５０について説明する。
【００６４】
図７は、本実施形態に係る出力システム３の構成を示すブロック図である。図７に示すように、出力システム３は、評価装置３０の代わりに端末装置５０を備える点で出力システム１と相違する。端末装置５０は、制御部５１と、記憶部５２と、通信部５３とを備える。
【００６５】
通信部５３は、外部の出力システムで評価が行われた働きかけ、および当該働きかけについての働きかけ関連情報のデータを受信する。ここでいう「外部の出力システム」とは、例えば上述した出力システム１または２において、働きかけ、および当該働きかけについての働きかけ関連情報のデータを外部へ送信するための通信部を評価装置３０または４０に追加したものであってよい。記憶部５２は、通信部５３が外部の出力システムから受信したデータを記憶する。
【００６６】
制御部５１は、第１生体情報取得部３１１および決定部３１２を備える。すなわち、制御部５１は、第２生体情報取得部３１３および評価部３１４を備えない点で制御部３１と相違する。このため、制御部５１では、第１生体情報取得部３１１が生体情報を取得し、決定部３１２が当該生体情報、および記憶部５２に記憶されている働きかけ関連情報に基づいてユーザに対する働きかけの内容を決定するのみである。第２生体情報の取得、および働きかけについての評価については、制御部５１は実行しない。
【００６７】
端末装置５０によれば、外部の出力システムにより評価が行われた働きかけを、出力装置２０から出力する働きかけとして決定することができる。ただし、上述したとおり、端末装置５０は、働きかけおよび働きかけ関連情報を外部の出力システムから受信する必要があるため、単独で使用することはできない。
【００６８】
〔ソフトウェアによる実現例〕
評価装置３０および４０の制御ブロック（特に第１生体情報取得部３１１、決定部３１２、第２生体情報取得部３１３、および評価部３１４）は、集積回路（ＩＣチップ）等に形成された論理回路（ハードウェア）によって実現してもよいし、ソフトウェアによって実現してもよい。
【００６９】
後者の場合、評価装置３０および４０は、各機能を実現するソフトウェアであるプログラムの命令を実行するコンピュータを備えている。このコンピュータは、例えば少なくとも１つのプロセッサ（制御装置）を備えていると共に、上記プログラムを記録したコンピュータ読み取り可能な少なくとも１つの記録媒体を備えている。そして、上記コンピュータにおいて、上記プロセッサが上記プログラムを上記記録媒体から読み取って実行することにより、本開示の一態様の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本開示の一態様は、上記プログラムが電子的な伝送によって具現化された、搬送波に埋め込まれたデータ信号の形態でも実現され得る。
【００７０】
〔まとめ〕
本開示の態様１に係る評価装置は、生体から取得された当該生体の情報である第１生体情報に基づいて、前記生体に対する働きかけの内容を決定する決定部と、前記決定部が決定した内容の働きかけが前記生体に対して開始された後に取得された、前記生体の情報である第２生体情報と、前記第１生体情報とに基づいて、前記決定部が決定した働きかけの評価を行う評価部と、を備える。
【００７１】
上記の構成によれば、評価装置において、生体に対する働きかけの内容を決定部が決定する。また、決定部が決定した内容の働きかけの出力が生体に対して開始される前に取得された第１生体情報と、開始された後に取得された第２生体情報とに基づいて、当該働きかけの評価を評価部が行う。第１生体情報および第２生体情報は、生体から取得された当該生体の情報であり、生体の健康状態を示す情報である。したがって、評価装置は、ユーザの健康状態に基づいて、出力された働きかけを評価することができる。
【００７２】
本開示の態様２に係る評価装置は、上記態様１において、前記決定部は、前記第１生体情報に加え、前記評価部による過去の評価に基づいて前記働きかけの内容を決定することが好ましい。
【００７３】
上記の構成によれば、決定部は、第１生体情報、および評価部による過去の評価に基づいて生体に対する働きかけの内容を決定することで、より適切な働きかけの内容を決定することができる。
【００７４】
本開示の態様３に係る評価装置は、上記態様１または２において、前記評価部は、前記第２生体情報が、前記第１生体情報に比べて、より良好な健康状態を示す場合に、前記働きかけの評価を上げることが好ましい。
【００７５】
上記の構成によれば、評価部は、働きかけの開始前と比較して生体の健康状態をより良好なものにする働きかけについて、評価を上げることができる。
【００７６】
本開示の態様４に係る評価装置は、上記態様１から３のいずれかにおいて、前記評価部は、前記第１生体情報が、前記第２生体情報に比べて、より良好な健康状態を示す場合に、前記働きかけの評価を下げることが好ましい。
【００７７】
上記の構成によれば、評価部は、働きかけの開始前と比較して生体の健康状態をより良好でないものにする働きかけについて、評価を下げることができる。
【００７８】
本開示の態様５に係る評価装置は、上記態様１から４のいずれかにおいて、前記評価部は、前記第１生体情報の取得の開始から前記第２生体情報の取得の開始までの時間を示す時間情報に基づいて取得された、前記第１生体情報と前記第２生体情報とに基づいて、前記働きかけの評価を行うことが好ましい。
【００７９】
上記の構成によれば、評価部は、働きかけによる生体情報への影響に基づいて、当該働きかけを適切に評価することができる。
【００８０】
本開示の態様６に係る評価装置は、上記態様１から５のいずれかにおいて、前記評価部による評価の結果を表示する表示部をさらに備えることが好ましい。
【００８１】
上記の構成によれば、前記評価部による評価の結果を、評価装置を含むシステムの管理者が認識することができる。
【００８２】
本開示の態様７に係る評価装置は、上記態様１から６のいずれかにおいて、前記働きかけは、前記生体に対する聴覚的な働きかけ、および／または視覚的な働きかけであることが好ましい。
【００８３】
上記の構成によれば、評価装置は、生体に対する聴覚的な働きかけ、および／または視覚的な働きかけについて、決定部により決定し、評価部により評価することができる。
【００８４】
本開示の態様８に係る出力システムは、上記態様１から７のいずれかの評価装置と、前記第１生体情報および前記第２生体情報を取得するための生体情報取得装置と、前記評価装置が備える前記決定部が決定した内容の働きかけを前記生体に対して出力する出力装置とを備える。
【００８５】
上記の構成によれば、決定部は、第１生体情報および第２生体情報を生体情報取得装置により取得することができる。さらに、決定部が決定した内容の働きかけを、出力装置により生体に対して出力することができる。
【００８６】
本開示の態様９に係る評価方法は、生体から取得された当該生体の情報である第１生体情報に基づいて、前記生体に対する働きかけの内容を決定する決定ステップと、前記決定ステップにおいて決定された内容の働きかけが前記生体に対して開始された後に取得された、前記生体の情報である第２生体情報と、前記第１生体情報とに基づいて、前記決定部が決定した働きかけの評価を行う評価ステップと、を含む。
【００８７】
上記の構成によれば、態様１と同様の効果を奏する。
【００８８】
本開示の各態様に係る評価装置は、コンピュータによって実現してもよく、この場合には、コンピュータを上記評価装置が備える各部（ソフトウェア要素）として動作させることにより上記評価装置をコンピュータにて実現させるプログラム、およびそれを記録したコンピュータ読み取り可能な記録媒体も、本開示の一態様の範疇に入る。
【００８９】
本開示は上述した各実施形態に限定されるものではなく、請求項に示した範囲で種々の変更が可能であり、異なる実施形態にそれぞれ開示された技術的手段を適宜組み合わせて得られる実施形態についても本開示の技術的範囲に含まれる。さらに、各実施形態にそれぞれ開示された技術的手段を組み合わせることにより、新しい技術的特徴を形成することができる。
（関連出願の相互参照）
本出願は、2017年11月10日に出願された日本国特許出願：特願2017-217539に対して優先権の利益を主張するものであり、それを参照することにより、その内容の全てが本書に含まれる。
【符号の説明】
【００９０】
１、２  出力システム
１０  生体情報取得装置
２０  出力装置
３０、４０  評価装置
３１２  決定部
３１４  評価部
４１  表示部
【図１】
2019093242.tif 000003
【図２】
2019093242.tif 000004
【図３】
2019093242.tif 000005
【図４】
2019093242.tif 000006
【図５】
2019093242.tif 000007
【図６】
2019093242.tif 000008
【図７】
2019093242.tif 000009
【手続補正書】
【提出日】令和2年4月8日(2020.4.8)
【手続補正１】
【補正対象書類名】特許請求の範囲
【補正対象項目名】全文
【補正方法】変更
【補正の内容】
【特許請求の範囲】
【請求項１】
生体から取得された当該生体の情報である第１生体情報に基づいて、前記生体に対する働きかけの内容を決定する決定部と、
前記決定部が決定した内容の働きかけが前記生体に対して開始された後に取得された、前記生体の情報である第２生体情報と、前記第１生体情報とに基づいて、前記決定部が決定した働きかけの評価を行う評価部と、を備え、
前記決定部は、前記第１生体情報に加え、前記評価部による過去の評価に基づいて前記働きかけの内容を決定することを特徴とする評価装置。
【請求項２】
前記評価部は、前記第２生体情報が、前記第１生体情報に比べて、より良好な健康状態を示す場合に、前記働きかけの評価を上げることを特徴とする請求項１に記載の評価装置。
【請求項３】
前記評価部は、前記第１生体情報が、前記第２生体情報に比べて、より良好な健康状態を示す場合に、前記働きかけの評価を下げることを特徴とする請求項１または２に記載の評価装置。
【請求項４】
前記評価部は、前記第１生体情報の取得の開始から前記第２生体情報の取得の開始までの時間を示す時間情報に基づいて取得された、前記第１生体情報と前記第２生体情報とに基づいて、前記働きかけの評価を行うことを特徴とする請求項１から３のいずれか１項に記載の評価装置。
【請求項５】
前記評価部による評価の結果を表示する表示部をさらに備えることを特徴とする請求項１から４のいずれか１項に記載の評価装置。
【請求項６】
前記働きかけは、前記生体に対する聴覚的な働きかけ、および／または視覚的な働きかけであることを特徴とする請求項１から５のいずれか１項に記載の評価装置。
【請求項７】
請求項１から６のいずれか１項に記載の評価装置と、
前記第１生体情報および前記第２生体情報を取得するための生体情報取得装置と、
前記評価装置が備える前記決定部が決定した内容の働きかけを前記生体に対して出力する出力装置とを備えることを特徴とする出力システム。
【請求項８】
生体から取得された当該生体の情報である第１生体情報に基づいて、前記生体に対する働きかけの内容を決定する決定ステップと、
前記決定ステップにおいて決定された内容の働きかけが前記生体に対して開始された後に取得された、前記生体の情報である第２生体情報と、前記第１生体情報とに基づいて、前記決定において決定された働きかけの評価を行う評価ステップと、を含み、
前記決定ステップにおいて、前記第１生体情報に加え、前記評価ステップによる過去の評価に基づいて前記働きかけの内容を決定する評価方法。
【請求項９】
請求項１に記載の評価装置としてコンピュータを機能させるためのプログラムであって、前記決定部および前記評価部としてコンピュータを機能させるプログラム。
【請求項１０】
請求項９に記載のプログラムを記録したコンピュータ読み取り可能な記録媒体。
【国際調査報告】
2019093242.tif 000010
2019093242.tif 000011